(57)【要約】【課題】転送装置に出力すべき画像データの解像度が途中で変更されていても、電子メールとして転送する際に画像の伸び縮みが生じる問題のない通信装置を提供する。【解決手段】転送装置に対して画像添付電子メールの送信をさせるために、画像データをその転送装置Ｓに出力する通信装置Ｆにおいて、画像データを転送中にその頁毎に解像度を判別し、第１頁目の画像データの解像度と異なっているときには、その頁の解像度を第１頁目のものに変換する。【選択図】図１
2004032417.tif 000002
【特許請求の範囲】
【請求項１】
転送装置に対して画像添付電子メールの送信をさせるために、画像データをその転送装置に出力する通信装置において、上記画像データを転送中にその頁毎に解像度を判別し、第１頁目の画像データの解像度と異なっているときには、その頁の解像度を第１頁目のものに変換することを特徴とする通信装置。
【請求項２】
請求項１において、
上記画像データの解像度を最初の頁の解像度に変換して出力するか否かを選択設定できる構成とした通信装置。
【請求項３】
請求項１または請求項２において、
上記画像データを出力する前に、ファクシミリ送信手順に従って、指定された宛先情報を出力する構成とした通信装置。
【発明の詳細な説明】
【０００１】
【発明の属する技術分野】
本発明は、入力された、宛先情報と画像データとを基にして画像添付電子メールを作成して転送する転送装置に、指定された宛先情報とともに画像データを頁単位で出力する通信装置の改良に関する。
【０００２】
【従来の技術】
従来より、オプション機器として転送機器を使用して、読み取った画像データやファクシミリ受信した画像データを、指定された宛先情報とともに転送装置に頁単位に出力し、その宛先に画像データを電子メールを転送させる、いわゆるフォワードメール機能を備えた通信装置が使用されている。
【０００３】
【発明が解決しようとする課題】
ところが、転送装置に出力すべき画像データは、途中から解像度が高くなったり低くなったりしていることがある。このような場合、転送装置は、受信データの解像度を最初の頁に基づいてしか判断できないため、例えば、最初の頁の解像度がノーマルであり、次頁の解像度がファインだと、電子メールに添付して転送するときに、次頁の画像データがのびた状態で転送されてしまうという問題があり、不便であった。
【０００４】
本発明は、上記事情を考慮してなされたものであり、転送装置に出力すべき画像データの解像度が途中で変更されていても、電子メールとして転送する際に画像の伸び縮みが生じる問題のない通信装置を提供することを目的としている。
【０００５】
【課題を解決するための手段】
上記目的を達成するために、本発明の請求項１に記載の通信装置では、転送装置に対して画像添付電子メールの送信をさせるために、画像データをその転送装置に出力する通信装置において、画像データを転送中にその頁毎に解像度を判別し、第１頁目の画像データの解像度と異なっているときには、その頁の解像度を第１頁目のものに変換することを特徴とする。
【０００６】
請求項２に記載の通信装置では、画像データの解像度を最初の頁の解像度に変換して出力するか否かを選択設定できる構成とした。
【０００７】
請求項３に記載の通信装置では、画像データを出力する前に、ファクシミリ送信手順に従って、指定された宛先情報を出力する構成とした。
【０００８】
【発明の実施の形態】
以下に、本発明の実施の形態について、図面とともに説明する。
【０００９】
図１は、本発明の通信装置の要部構成の一例を示す図である。なお、ここでは、通信装置としてファクシミリ装置Ｆの構成を示しているが、本発明はこの例に限られず、ファクシミリ通信にて、画像データと宛先情報とを転送装置に出力できる構成であれば何を用いてもよい。
【００１０】
このファクシミリ装置Ｆは、以下の各部を制御するＭＰＵ１と、電話回線Ｌに対する接続制御をするＮＣＵ２と、ファクシミリ通信に必要な各種信号を変復調するモデム３と、原稿を読み取り画像データを形成するスキャナ４と、画像データを予めセットされた記録紙に印字出力するプリンタ５と、このファクシミリ装置Ｆが動作するために必要な各種プログラムなどを記憶するＲＯＭ６と、短縮ダイヤルなどを記憶するＲＡＭ７と、画像データを一時格納する画像メモリ８と、画像データの符号化、復号をするコーデック９と、液晶画面などで構成される表示部１０と、各種操作キーなどで構成される操作部１１と、１ないし複数のクライアント（不図示）を接続するためのＬＡＮインタフェース１２とを備える。
【００１１】
図２は、このファクシミリ装置Ｆの使用形態を示す図である。このものでは、本発明のファクシミリ装置Ｆに、転送装置Ｓを接続し、転送装置Ｓは、インターネットなどの通信ネットワークＮに接続されている。
【００１２】
ファクシミリ装置Ｆは、スキャナ４で読み取った画像データや、ファクシミリ受信した画像データを一旦画像メモリ８に格納しているが、宛先を指定した所定の転送指示があると、ＩＴＵ−Ｔ勧告で規定された非標準手順信号ＮＳＳに宛先情報である電子メールアドレスを複数格納し、転送装置Ｓに出力後、転送指示された画像データを転送装置Ｓに出力する。
【００１３】
そして、これを受けた転送装置Ｓが、画像データと宛先情報とを加工して画像添付電子メールを作成し、その宛先に送信する。
【００１４】
以上の処理において、ファクシミリ装置Ｆの処理について、図３に示すフローチャートとともに説明する。すなわち、画像データを転送装置Ｓに転送する際には（１００）、画像データ中、第１頁を読み出して送信し（１０１）、次ページを読み出した際に、そのページの解像度を判別して、第１ページのものと同じであれば（１０２）、そのまま当該ページについて送信する一方（１０３）、第１ページと同じでなければ、第１ページと同一の解像度に変換して送信する（１０４）という動作を繰り返し、全ページの画像データの出力が終了すれば（１０４）、転送装置Ｓへの転送を終了する。
【００１５】
つまり、最初の頁の解像度で次頁以降のページを必要に応じて解像度変換し送信するものである。
【００１６】
なお、ステップ１００において、画像データの出力が転送装置Ｓに対してのものでなければ、画像データをそのまま送信、すなわち、相手先のファクシミリ装置などに対して送信する。
【００１７】
本実施例では、ＮＳＳ信号に宛先情報を格納したが、ＩＴＵ−Ｔ勧告で規定されたＩＲＡ信号に宛先情報としての電子メールアドレスを格納して転送装置Ｓに出力してもよい。
【００１８】
【発明の効果】
以上説明したように、本発明の請求項１〜３のいずれかに記載の通信装置では、画像データを転送中にその頁毎に解像度を判別し、第１頁目の画像データの解像度と異なっているときには、その頁の解像度を第１頁目のものに変換するので、転送装置に出力すべき画像データの解像度が途中で変更されていても、電子メールとして転送する際に画像の伸び縮みが生じる問題がない。
【００１９】
特に、請求項２に記載の通信装置では、画像データの解像度を最初の頁の解像度に変換して出力するか否かを選択設定できる構成としたので、将来、転送装置に対し、第２ページ以降の画像データの解像度判別処理能力が付加された場合に、対応可能となる。
【図面の簡単な説明】
【図１】本発明の通信装置の要部構成の一例を示す図である。
【図２】通信装置の使用例について示す図である。
【図３】通信装置の動作について説明するためのフローチャートである。
【符号の説明】
Ｆ・・・ファクシミリ装置
Ｓ・・・転送装置
【図１】
2004032417.tif 000003
【図２】
2004032417.tif 000004
【図３】
2004032417.tif 000005